(57)【要約】【課題】冷凍サイクル内に残存する冷媒量やサイクル閉塞の有無を精度よく判定して圧縮機を保護することができる空気調和機を提供する。【解決手段】圧縮機６と、室外側熱交換器８と、膨張弁１０と、室内側熱交換器４の順に接続して形成された冷凍サイクルと、室外側熱交換器８に外気を送る室外送風機９と、室内側熱交換器４に空気を送る室内送風機５を設けた空気調和機において、室内送風機５及び室外送風機９を停止させ、膨張弁１０の絞り開度を小さく固定した状態で一定の周波数で圧縮機６を運転させ、所定時間経過後に膨張弁１０の絞り開度を大きくすることで発生する冷凍サイクルの各部の温度変化量が所定の値以下である場合に、冷凍サイクルに異常があると判定するもので、周囲の環境や条件によることなく、冷凍サイクル内に残存する冷媒量やサイクル閉塞の有無を精度よく判定し、圧縮機６を確実に保護することができる。【選択図】図１
2007155226.tif 000002
【特許請求の範囲】
【請求項１】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する前記冷凍サイクルの各部の温度変化量が所定の値以下である場合に、前記冷凍サイクルに異常があると判定するようにした空気調和機。
【請求項２】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する運転電流値変化量が所定の値以下である場合に、前記冷凍サイクルに異常があると判定するようにした空気調和機。
【請求項３】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、前記冷媒の圧力を検知する圧力センサーとを設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する前記圧力センサーによる検出値の変化量が所定の値以下である場合に、前記冷凍サイクルに異常があると判定するようにした空気調和機。
【請求項４】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する前記冷凍サイクルの各部の温度変化量が所定の値以下である場合に、前記冷凍サイクルに異常があると判定するようにした空気調和機。
【請求項５】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する運転電流値変化量が所定の値以下である場合に、前記冷凍サイクルに異常があると判定するようにした空気調和機。
【請求項６】
圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、冷媒の圧力を検知する圧力センサーとを設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する前記圧力センサーによる検出値の変化量が所定の値以下である場合に、前記冷凍サイクルに異常があると判定するようにした空気調和機
。
【請求項７】
冷凍サイクルに、冷媒の流方向を切り替える四方弁を設けた請求項１〜６のいずれか１項に記載の空気調和機。
【発明の詳細な説明】
【技術分野】
【０００１】
本発明は、空気調和機に関するもので、特に、冷凍サイクル内の圧縮機の保護制御に関するものである。
【背景技術】
【０００２】
従来の空気調和機では、冷媒小あるいは冷媒抜け冷凍サイクルや冷凍サイクル中のどこかが詰まっている場合の冷凍サイクル、特に圧縮機の保護制御としては、圧縮機の温度過昇を保護するための圧縮機温度センサーや吐出温度センサーの取付け、あるいは圧縮機内部にインナーサーマルプロテクタを内蔵する方法が一般的であった。しかしながらこのようなセンサーの取付けやプロテクタの内蔵では製造コストが増大するという課題を有しているため、従来、下記のような安価な保護制御の構築が試みられてきた。
【０００３】
一つは、ヒートポンプ式の空気調和機に、冷凍サイクルの冷媒の凝縮温度を検出する室内配管温度検出手段と、冷凍サイクルを制御すると共に室外総合運転電流検知手段及び室外総合運転電流設定記憶手段と室内配管温度設定記憶手段と判定手段とを有する制御装置を設け、制御装置は、室外総合運転電流が設定値より下回り、かつ冷房運転時は室内配管温度が設定温度を所定時間上回った時、また暖房運転時は室内配管温度が設定温度を所定時間下回った時、それぞれ圧縮機を停止するように構成している（例えば、特許文献１参照）。
【０００４】
また、圧縮機を運転開始してから所定時間経過後、圧縮機の吐出温度が設定温度より低い場合、室温と室内熱交換器の中間部の温度を検出し、この検出した室温と室内熱交換器の中間温度との温度差が所定温度以内の時、圧縮機を停止し、所定時間経過後、再度圧縮機の運転を開始した後、温度差が所定温度以内で圧縮機を停止する処理が連続して所定回数行なわれた場合、冷媒が流れていないと判断し、圧縮機を再起動しないよう停止するようにしたものもある（例えば、特許文献２参照）。
【特許文献１】特開２００３−３２９３１２号公報
【特許文献２】特開２００３−９０５８２号公報
【発明の開示】
【発明が解決しようとする課題】
【０００５】
しかしながら、上述した冷凍サイクル保護制御を有する空気調和機のいずれにおいても、冷凍サイクルに配置された各部温度や電流値と、あらかじめ設定された所定の温度との差を見ることで異常判定を行っているが、この場合の課題として、設置された空調条件や運転条件によっては誤動作や誤判定が避けきれないことがあった。あらかじめ様々なシチュエーションを想定した実験を行い、データを蓄積し、制御データに反映させなくてはならないという課題を有していた。
【０００６】
本発明は、上述のような課題を解決するもので、適切に冷凍サイクルの異常判定を行うことができる空気調和機を提供することを目的とする。
【課題を解決するための手段】
【０００７】
上記従来の課題を解決するために、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時
間経過後に前記膨張弁の絞り開度を大きくすることで発生する前記冷凍サイクルの各部の温度変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【０００８】
また、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する運転電流値変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【０００９】
また、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、前記冷媒の圧力を検知する圧力センサーとを設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する前記圧力センサーによる検出値の変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１０】
また、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する前記冷凍サイクルの各部の温度変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１１】
また、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する運転電流値変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１２】
また、本発明の空気調和機は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、冷媒の圧力を検知す
る圧力センサーとを設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する前記圧力センサーによる検出値の変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【発明の効果】
【００１３】
本発明の空気調和機は、空気調和機が設置された環境や条件による影響を避けつつ、冷凍サイクル内に残存する冷媒量やサイクル閉塞の有無を精度よく判定して、圧縮機を確実に保護することができる。
【発明を実施するための最良の形態】
【００１４】
第１の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する前記冷凍サイクルの各部の温度変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１５】
第２の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する運転電流値変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１６】
第３の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、前記冷媒の圧力を検知する圧力センサーとを設けた空気調和機において、前記室内送風機及び前記室外送風機を停止させ、前記膨張弁の絞り開度を小さく固定した状態で一定の周波数で前記圧縮機を運転させ、所定時間経過後に前記膨張弁の絞り開度を大きくすることで発生する前記圧力センサーによる検出値の変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１７】
第４の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくす
ることで発生する前記冷凍サイクルの各部の温度変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１８】
第５の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機を設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する運転電流値変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００１９】
第６の発明は、圧縮機と、室外側熱交換器と、流量可変型の膨張弁と、室内側熱交換器の順に接続して形成された冷凍サイクルと、前記室外側熱交換器に外気を送る室外送風機と、前記室内側熱交換器に空気を送る室内送風機と、冷媒の圧力を検知する圧力センサーとを設けた空気調和機において、前記室内送風機及び前記室外送風機を停止させ、前記膨張弁の絞り開度を大きく固定した状態で一定の周波数で前記圧縮機を運転させ、所定時間経過後に前記膨張弁の絞り開度を小さくすることで発生する前記圧力センサーによる検出値の変化量が所定の値以下である場合に、前記冷凍サイクルに異常があると判定するようにしたもので、空気調和機が設置された環境や条件によることなく、冷凍サイクル内に残存する冷媒量やサイクル閉塞の有無を精度よく判定し、圧縮機を確実に保護することができる。
【００２０】
第７の発明は、特に、第１〜６のいずれか一つの発明の冷凍サイクルに、冷媒の流方向を切り替える四方弁を設けたもので、冷・暖房機能を有する空気調和機においても、それが設置された環境や条件によることなく、冷凍サイクル内に残存する冷媒量やサイクル閉塞の有無を精度よく判定し、圧縮機を確実に保護することができる。
【００２１】
以下、本発明の実施の形態について、図面を参照しながら説明する。なお、この実施の形態によって本発明が限定されるものではない。
【００２２】
（実施の形態１）
本発明の第１の実施の形態における空気調和機について、図１〜６を用いて説明する。図１は、本実施の形態における空気調和機の構成を示すブロック図で、図２は、同空気調和機の室内機の断面図である。
【００２３】
図１、２において、本実施の形態における空気調和機は、室内に設置される室内機１と、冷媒を通す冷媒管３を介して室内機１に接続された室外機３から構成されている。室内機１は、室内側熱交換器４と、室内の空気を吸引し室内側熱交換器４に送る室内送風機５を内蔵し、室外機３は、圧縮機６と、冷媒の流方向を切り替える四方弁７と、室外側熱交換器８と、室外側熱交換器８に外気を送る室外送風機９と、膨張弁１０を備え、圧縮機６と、四方弁７と、室外側熱交換器８と、膨張弁１０と室内側熱交換器４とは、冷媒管２を介して環状に接続されて冷凍サイクルが構成されている。
【００２４】
１３は、熱交換された空気を室内に噴出す吹き出し口で、その吹き出し口１３には、上下方向に吹き出し風の向きを変える上下風向変更羽根１４と、左右方向に吹き出し風の向きを変える左右風向変更羽根１５が回動自在に設けられている。
【００２５】
次に本実施の形態における空気調和機の運転、動作について、図３を用いて説明する。
【００２６】
まず停止している空気調和機へ、冷凍サイクル異常を診断するモードを指示する。本実施の形態では、遠隔操作するリモコン（図示せず）の診断端子をショートすることによって、このモード指示を室内機１に内蔵された室内機受信部（図示せず）へ送信（ステップ１（ＳＴ１、以下同じ）する。
【００２７】
送られてきたモード指示を判別後（ＳＴ２）、室内機１は、冷凍サイクル異常を判定するモードを室外機３へ、室内機１と室外機３との間に接続された内外通信線（図示せず）を経由して送信する（ＳＴ４）。その後室内機１は、上下風向変更羽根１４、左右風向変更羽根１５共に閉じ、室内送風機５を停止させたまま運転ＬＥＤ（図示せず）を点滅させ（ＳＴ３）、判定中であることを表示する。モードを受信した室外機３は、室外送風機９は停止（ＳＴ５）のまま、循環する冷媒の絞り機構である膨張弁１０の開度を全閉までにはならない程度に絞り（本実施の形態では５０パルス）固定する（ＳＴ６）。
【００２８】
次に四方弁７を、冷房サイクルとなるように切り換え、固定する（ＳＴ７）。この後圧縮機６を起動させ、あらかじめ定められた所定の周波数で運転する（ＳＴ８）が、この時の運転周波数は、仮に冷凍サイクルが閉塞していたり冷媒が未封入である場合でも短時間（約１分程度）であれば問題無い程度の低周波数（本実施の形態１では１５Ｈｚ）とする。
【００２９】
上記の低周波数で圧縮機６の運転を開始し、所定の時間（本実施の形態では、３０秒）が経過後（ＳＴ９）、膨張弁１０の開度を開く。本実施の形態では５０パルスで固定した後、全開の４８０パルスへと変更する。このとき、もし冷凍サイクル内に冷媒が十分に封入され、閉塞等の問題が無ければ、冷凍サイクルの各部の温度を検出している温度センサー（図示せず）の検出値や、室外運転電流値を検出しているＣＴ（図示せず）の検出値は大きく変化するはずである。
【００３０】
例えば、あるモリエル線図を示した一例が図４である。
【００３１】
この図４において、実線２１は正常な冷凍サイクルの場合を示している。それに対し、破線２２は、冷媒が少し抜けた状態の冷凍サイクルを、そして点線２３は冷媒がほとんど抜けた冷凍サイクルをそれぞれ示している。正常な冷凍サイクル（実線２１）において、温度を計測する温度センサー（図示せず）が、吐出温度測定部２４、室外側熱交換器８の出口部２５、室内側熱交換器４の入口部２６、室内側熱交換器４の中央部２７にそれぞれ取りつけられている。
【００３２】
この実線２１、破線２２、点線２３を比べて分かるように、冷凍サイクル中の封入冷媒量が減るに連れて高圧、低圧が低下した動作点になることが分かる。
【００３３】
次に、図５は、正常な冷凍サイクルで、膨張弁１０の開度を変更した場合の変化を示したもので、実線２１（ａ）は、膨張弁１０を５０パルスまで絞った場合を示し、破線２１（ｂ）は、膨張弁を４８０パルスまで開放した場合を示している。この２つの冷凍サイクルから分かるように、膨張弁１０の開度を大きく変化させると、各部の冷媒状態が大きく変化し、各部の温度も大きく変化することがわかる。
【００３４】
また図６は、冷媒小の冷凍サイクルで、膨張弁１０の開度を変更した場合の変化を示したもので、実線２３（ａ）は、膨張弁を５０パルスまで絞った場合を示し、破線２３（ｂ）は、膨張弁を４８０パルスまで開放した場合を示している。この２つの冷凍サイクルか
ら分かるように、膨張弁１０の開度を大きく変化させても、各部の冷媒状態はあまり変化せず、各部の温度もあまり変化しないことがわかる。これは膨張弁１０を通過する冷媒量が減少し、膨張弁１０の開度の影響が減っていることに原因がある。
【００３５】
図５で、室内側熱交換器４の入口部２６に配置された温度センサーで検知された温度が上昇し、室外側熱交換器８の出口部２５の温度は低下し、ＣＴ（図示せず）の電流値は低下する。あるいは冷凍サイクルに、冷媒の圧力を検知する圧力センサー（図示せず）が取りつけられている場合は、高圧センサーであれば圧力が低下し、低圧センサーであれば上昇するといったように、検出される圧力が大きく変動することで正常な冷凍サイクルであることが判断できる。
【００３６】
もしここで冷凍サイクル中の各部の温度やＣＴ電流値、或いは圧力値に変化が見られなければ、冷媒が極めて少ない状態であるか、冷凍サイクルのいずれかが閉塞されて冷媒が循環していないと判定される。
【００３７】
さらに本実施の形態の特徴として、図６に示されるように、膨張弁１０の開度を変更したにもかかわらず冷凍サイクルの変化が小さい場合に、完全な閉塞ではないが一部が閉塞されている場合や、冷媒量が半分程度しかない場合を判定することが出来る点にある。このような利点は、過去のガス抜け制御や冷凍サイクル異常判定制御にはなかった特徴である。
【００３８】
前記膨張弁１０の動作において、起動後一定時間は全開にし、その後閉める（５０パルス程度）ことでも同様に冷凍サイクルの変化を発生させることができる。但し検出される温度やＣＴ電流値、圧力変動は前記の場合と逆になる。
【００３９】
本実施の形態では、リモコンによる診断送信方法を用いているが、室内機１に設けたスイッチの操作による方法あるいは室外機３に設けた電装基板（図示せず）の一部端子をショートする方法あるいは、室外機３に設けたスイッチを操作するなどの方法で診断を開始しても良い。
【００４０】
また本実施の形態では、膨張弁１０の開度変更によって冷凍サイクルを変化させ、その変化量を配管温度、電流値、圧力変動を検出することで異常判定を行っていたが、膨張弁１０の代わりに四方弁７の冷暖切替によっても判定を行うことができる。
【産業上の利用可能性】
【００４１】
以上のように本発明に係る空気調和機は、空気調和機が設置された環境や条件による影響を避けつつ、冷凍サイクル内に残存する冷媒量やサイクル閉塞の有無を精度よく判定して圧縮機を確実に保護することができるもので、各種空気調和機に適用できる。
【図面の簡単な説明】
【００４２】
【図１】本発明の実施の形態１における空気調和機の構成を示すブロック図
【図２】同空気調和機の室内機の断面図
【図３】同空気調和機の制御フロー図
【図４】同空気調和機の冷媒量の異なる冷凍サイクルのモリエル線図
【図５】同空気調和機において、正常な冷凍サイクルで膨張弁開度を変化させた場合のモリエル線図
【図６】同空気調和機において、冷媒が不足した冷凍サイクルで膨張弁開度を変化させた場合のモリエル線図
【符号の説明】
【００４３】
１  室内機
４  室内側熱交換器
５  室内送風機
６  圧縮機
８  室外側熱交換器
９  室外送風機
１０  膨張弁
【図１】
2007155226.tif 000003
【図２】
2007155226.tif 000004
【図３】
2007155226.tif 000005
【図４】
2007155226.tif 000006
【図５】
2007155226.tif 000007
【図６】
2007155226.tif 000008